(57)【要約】 【課題】  本発明は、屋根面上に施工する垂直板形状の雪止め部材にあって、滑落防止とともに融雪促進を円滑に可能にする構成の雪止め器を提供することを目的とする。 【解決手段】  垂直板部２と底面板部３との左右両側部にそれぞれ傾斜板部４，４を設けた側面視Ｌ形状に成る雪止め部材１を設け、この雪止め部材内側の左右両側部においては屋根傾斜面への取付具６，６を設置し、この両取付具の中間部には格子線材７を設置して成るものである。【選択図】    図１
2015209748.tif 000002
【特許請求の範囲】
【請求項１】
垂直板部と底面板との左右両側部にそれぞれ傾斜板部を設けた側面視Ｌ形状に成る雪止め部材を設け、この雪止め部材の内側中間部に格子線材を設置するとともにその左右両側部に屋根板への取付具を設置して成ることを特徴とする屋根用雪止め器。
【発明の詳細な説明】
【技術分野】
【０００１】
本発明は、屋根用雪止め器に関するものである。
【背景技術】
【０００２】
屋根の傾斜面に取付ける雪止め部材にあっては、滑降する積雪を阻止するための正面垂直板は次に例示するように公知であるが、同一垂直板の左右両側部は開口状態のままになっていたから、正面垂直板の内側部分には積雪が残って凍結してしまっていた。
【先行技術文献】
【特許文献】
【０００３】
【特許文献１】実公昭６３−１５４６７号公報
【特許文献２】特開平１１−９３３５５号公報
【発明の概要】
【発明が解決しようとする課題】
【０００４】
そこで、本発明は、屋根面上に施工する垂直板形状の雪止め部材にあって、滑落防止とともに融雪促進を円滑に可能にする構成の雪止め器を提供することを目的とするものである。
【課題を解決するための手段】
【０００５】
本発明は、垂直板部と底面板部との左右両側部にそれぞれ傾斜板部を設けた側面視Ｌ形状に成る雪止め部材を設け、この雪止め部材内側の左右両側部においては屋根傾斜面への取付具を設置し、この両取付具の中間部には格子線材を設置して成るものである。
【発明の効果】
【０００６】
屋根面に千鳥状に施工した本雪止め部材の垂直板部においては、積雪の滑落を阻止することができることになるのみならず、同時に垂直板部の内側部に設置した底面板部上の格子線材によって、その線材空間部における空気の流通により積雪の溶解が促進されるようになる。
【０００７】
また、本発明の雪止め部材の形態は単純であるから、屋根面との調和が良好となり、一体化を発揮することができる。
【図面の簡単な説明】
【０００８】
【図１】本器全体の斜視図
【図２】本器全体の平面図
【図３】本器全体の右側面図
【図４】図２Ａ−Ａ線断面図
【図５】図２Ｂ−Ｂ線断面図
【発明を実施するための形態】
【０００９】
作業員は、屋根板面の全体を見廻した上で、屋根板上に各雪止め器を設置する場所を選定することになるが、積雪地方の屋根における本雪止め器の設置条件やその果たす機能はいずれも同じであることから、所定の効果が期待できる本器具を提供することになる。
【実施例】
【００１０】
１は全体が側面視Ｌ形状に成る雪止め部材で、この雪止め部材の垂直板部２及び底面板部３の長さは、例えば横２５０ｍｍ，縦８０ｍｍ，垂直板部の高さは例えば６０ｍｍとする。
【００１１】
４，４は前記雪止め部材１の垂直板部２と底面板部３との左右両側面部に設けた傾斜板部である。
【００１２】
５は前記雪止め部材１の内側中間部で、この内側中間部における底面板部３の左右両側部には任意の屋根板への取付具６，６を設置する。
【００１３】
この取付具６，６は屋根板への上下の噛み合わせ部を螺子によって緊締固定するものである。
【００１４】
７は前記雪止め部材１の内側部における中間部に設置する線格子材で、この線格子材を雪止め部材内側の中間部分に配置することによって、雪止め部材の垂直板部によって阻止された積雪部分は、その内側部において線格子材間を流れる空気によって溶解されることになり、凍結状態は起こりにくいようになる。
【符号の説明】
【００１５】
１                            雪止め部材
２                            垂直板部
３                            底面板部
４，４                        傾斜板部
５                            内側中間部
６，６                        取付具
７                            線格子材
【図１】
2015209748.tif 000003
【図２】
2015209748.tif 000004
【図３】
2015209748.tif 000005
【図４】
2015209748.tif 000006
【図５】
2015209748.tif 000007
【手続補正書】
【提出日】平成26年6月26日(2014.6.26)
【手続補正１】
【補正対象書類名】明細書
【補正対象項目名】全文
【補正方法】変更
【補正の内容】
【発明の詳細な説明】
【技術分野】
【０００１】
本発明は、屋根用雪止め器に関するものである。
【背景技術】
【０００２】
屋根の傾斜面に取付ける雪止め部材にあっては、滑降する積雪を阻止するための正面垂直板は次に例示するように公知であるが、同一垂直板の左右両側部は開口状態のままになっていたから、正面垂直板の内側部分には積雪が残って凍結してしまっていた。
【先行技術文献】
【特許文献】
【０００３】
【特許文献１】実公昭６３−１５４６７号公報
【特許文献２】特開平１１−９３３５５号公報
【発明の概要】
【発明が解決しようとする課題】
【０００４】
そこで、本発明は、屋根面上に施工する垂直板形状の雪止め部材にあって、滑落防止とともに融雪促進を円滑に可能にする構成の雪止め器を提供することを目的とするものである。
【課題を解決するための手段】
【０００５】
本発明は、垂直板部と底面板部との左右両側部にそれぞれ傾斜板部を設けた側面視Ｌ形状に成る雪止め部材を設け、この雪止め部材の底面板部上に屋根傾斜面への取付具を設置し、この両取付具の中間部には格子線材を設置して成るものである。
【０００６】
また、本発明は、底面板部と一体に成る垂直板部の底面板部との隣接部分に複数の通孔を設けて成るものである。
【発明の効果】
【０００７】
屋根面に千鳥状に施工した本雪止め部材の垂直板部においては、積雪の滑落を阻止することができることになるのみならず、同時に垂直板部の内側部に設置した底面板部上の格子線材によって、その線材空間部における空気の流通により積雪の溶解が促進されるようになる。
【０００８】
また、本発明の器具自体の全体の形態は単純であるから、屋根の傾斜面との調和が良好となり、一体化を発揮することができる。
【０００９】
さらに、前記底面板部上には融雪による水分が保持されようとするから、屋根板材に発錆や腐蝕が起こらないように排水を迅速にするとともに空気の流れを円滑にすることができる。
【図面の簡単な説明】
【００１０】
【図１】本器全体の斜視図
【図２】本器全体の平面図
【図３】本器全体の右側面図
【図４】図２Ａ−Ａ線断面図
【図５】図２Ｂ−Ｂ線断面図
【発明を実施するための形態】
【００１１】
作業員は、屋根板面の全体を見廻した上で、屋根板上に各雪止め器を設置する場所を選定することになるが、積雪地方の屋根における本雪止め器の設置条件やその果たす機能はいずれも同じであることから、所定の効果が期待できる本器具を設置することになる。
【実施例】
【００１２】
１は全体が側面視Ｌ形状に成る雪止め部材で、この雪止め部材の垂直板部２及び底面板部３の長さは、例えば横２５０ｍｍ，縦８０ｍｍ，垂直板部の高さは例えば６０ｍｍとする。
【００１３】
４，４は前記雪止め部材１の垂直板部２と底面板部３との左右両側面部に設けた傾斜板部である。
【００１４】
５は前記雪止め部材１の内側中間部で、この内側中間部における底面板部３の左右両側部には屋根板への任意の取付具６，６を設置する。
【００１５】
この取付具６，６は屋根板への上下の噛み合わせ部を螺子によって緊締固定するものである。
【００１６】
７は前記雪止め部材１の内側部における中間部に設置する線格子材で、この線格子材を雪止め部材内側の中間部分に配置することによって、雪止め部材の垂直板部によって阻止された積雪部分は、その内側部において線格子材間を流れる空気によって溶解されることになり、凍結状態は起こりにくいようになる。
【００１７】
８・は前記底面板部３と一体に成る前記垂直板部２の底面板部３との隣接部分に設けた複数の通孔で、この通孔は水抜き孔の作用をするものであり、垂直板部２，底面板部３及び傾斜板部４，４に囲まれた部分における水の表面張力と毛細管現象を防止するために設けた。
【符号の説明】
【００１８】
１                            雪止め部材
２                            垂直板部
３                            底面板部
４，４                        傾斜板部
５                            内側中間部
６，６                        取付具
７                            線格子材
８・ 通孔
【手続補正２】
【補正対象書類名】特許請求の範囲
【補正対象項目名】全文
【補正方法】変更
【補正の内容】
【特許請求の範囲】
【請求項１】
垂直板部と底面板との左右両側部にそれぞれ傾斜板部を設けた側面視Ｌ形状に成る雪止め部材を設け、この雪止め部材の内側中間部に格子線材を設置するとともにその底面板部上に屋根板への取付具を設置して成ることを特徴とする屋根用雪止め器。
【請求項２】
底面板部と一体に成る垂直板部の底面板部との隣接部分に複数の通孔を設けて成る請求項１に記載した屋根用雪止め器。
【手続補正３】
【補正対象書類名】図面
【補正対象項目名】図１
【補正方法】変更
【補正の内容】
【図１】
2015209748.tif 000008